(57)【要約】      （修正有）【課題】基材（スライド）上のサンプルの自動染色を容易にするためのサンプル処理組立体（スライド染色組立体）を提供する。【解決手段】サンプル処理組立体１０００は、基材用の据付面１２００、及び着脱可能に蓋部材２０００を保持するように構成されたクロージャー・ボディー１１００を含む。クロージャー・ボディー１１００は、開位置と実質的に閉じられた位置との間で移動可能である。基材が組立体１２００内に置かれ、蓋部材２０００を保持しながらクロージャー・ボディー１１００が実質的に閉位置にあるとき、サンプル処理用の反応室が形成される。【選択図】図３
2019168462.tif 000002
【特許請求の範囲】
【請求項１】
基材におけるサンプル処置用のサンプル処理組立体であって、
ａ．基材用の据付面と、
ｂ．蓋部材を着脱可能に保持するクロージャー・ボディーで、開位置と実質的に閉じられた位置との間で移動可能であるクロージャー・ボディーと、を含み、
基材が組立体に置かれ、クロージャー・ボディーが蓋部材を保持しながら実質的に閉じられた位置にある状態において、サンプルを処理する反応室が形成される、
サンプル処理組立体。
【請求項２】
組立体における基材配置の間、少なくとも第１方向に基材の移動を制限する少なくとも一つの第１ガイドを含む、請求項１に記載のサンプル処理組立体。
【請求項３】
少なくとも一つの第１ガイドは、据付面における突出部である、請求項２に記載のサンプル処理組立体。
【請求項４】
第１方向とは異なる第２方向に基材の移動を制限するために据付面において少なくとも一つの第２ガイドを含む、請求項２又は３に記載のサンプル処理組立体。
【請求項５】
少なくとも一つの第２ガイドは、蓋部材における対応の切欠きと協働するように形作られた突出部であり、少なくとも一つの第２ガイド及び対応する切欠きは、基材あるいは据付面と共に反応室を形成するため蓋部材の最適な配置に協働する、請求項４に記載のサンプル処理組立体。
【請求項６】
クロージャー・ボディーが実質的に閉じられた位置に付勢されるように付勢力を加える閉鎖付勢手段を含む、請求項１から５のいずれかに記載のサンプル処理組立体。
【請求項７】
開放付勢力を加える開放付勢手段を含む、請求項１から６のいずれかに記載のサンプル処理組立体。
【請求項８】
閉鎖付勢手段は、開放付勢手段よりも大きい付勢力を加えるように構成される、請求項６又は７に記載のサンプル処理組立体。
【請求項９】
クロージャー・ボディーを閉位置に留置するようにクロージャー・ボディーにおける凹部と協働するように配列された戻り止めを有する留置アームを含む、請求項１から８のいずれかに記載のサンプル処理組立体。
【請求項１０】
留置アームの一端側に配置された負重面を含み、その結果、開放力が負重面に加えられる状態において、戻り止めがクロージャー・ボディーにおける凹部から解放され、クロージャー・ボディーが開位置へ移動する、請求項９に記載のサンプル処理組立体。
【請求項１１】
クロージャー・ボディーに加えられた力を分配する力配分部材を含む、請求項１から１０のいずれかに記載のサンプル処理組立体。
【請求項１２】
クロージャー・ボディーは、クロージャー・ボディーによって保持された蓋部材における流体ポートと流体連通するように構成された第１流体流路経路を含む、請求項１から１１のいずれかに記載のサンプル処理組立体。
【請求項１３】
クロージャー・ボディー内の第１流体流路経路の一部を形成する配管を配向する、クロージャー・ボディーにおける着脱可能なハウジングをさらに含む、請求項１２に記載のサンプル処理組立体。
【請求項１４】
クロージャー・ボディーに蓋部材を着脱可能に取り付ける連結手段を含む、請求項１から１３のいずれかに記載のサンプル処理組立体。
【請求項１５】
連結手段は、クロージャー・ボディーと蓋部材との間に着脱可能な連結を形成するとき、クロージャー・ボディー及び蓋部材の一方において、クロージャー・ボディー及び蓋部材の他方における面を係合する一もしくは複数の突出部を含む、請求項１４に記載のサンプル処理組立体。
【請求項１６】
蓋部材及びクロージャー・ボディーを滑動的に連結する走路あるいはガイド溝を含む、請求項１４又は１５に記載のサンプル処理組立体。
【請求項１７】
クロージャー・ボディー及び蓋部材の一方は、連結を解放する解放タブを含み、それによってクロージャー・ボディーからの蓋部材の解放を可能にする、請求項１４から１６のいずれかに記載のサンプル処理組立体。
【請求項１８】
据付面と連結されたサーモモジュールを含み、このサーモモジュールは、反応室内の温度を変更するように操作可能である、請求項１から１７のいずれかに記載のサンプル処理組立体。
【請求項１９】
実質的に閉じられた位置においてクロージャー・ボディーによって保持された蓋部材の内壁の少なくとも一部と同一直線上に配列された、据付面における一もしくは複数の凹部を含み、この一もしくは複数の凹部は、蓋部材壁の少なくとも一部から試薬の清浄を容易にする、請求項１から１８のいずれかに記載のサンプル処理組立体。
【請求項２０】
据付面は、開口を備え、この開口は流体源との間の流体移送を容易にする第２流体流路経路と連結される、請求項１から１９のいずれかに記載のサンプル処理組立体。
【請求項２１】
基材からの蓋部材の分離を支援する、クロージャー・ボディーにおける解放部材をさらに含む、請求項１から２０のいずれかに記載のサンプル処理組立体。
【請求項２２】
サンプル処理組立体において使用される蓋部材であって、
ａ．第１側面と、
ｂ．第１側面に対向する第２側面と、
ｃ．第１側面における空間で、蓋部材が基材に接触する状態にて反応室を形成する空間と、
ｄ．少なくとも一つの切欠きと、
を有し、
蓋部材は、サンプル処理組立体のクロージャー・ボディーと着脱可能な係合にて構成され、少なくとも一つの切欠きは、使用において、基材と共に反応室を形成するために切欠き及び突出部が組立体における位置へ蓋部材を案内するように、サンプル処理組立体の据付面及びサンプル処理組立体のクロージャー・ボディーの一方における対応の突出部と協働するように形作られる、
蓋部材。
【請求項２３】
サンプル処理組立体において使用される蓋部材であって、
ａ．第１側面と、
ｂ．第１側面に対向する第２側面と、
ｃ．第１側面における空間で、蓋部材が基材に接触する状態にて反応室を形成する空間と、
ｄ．第１側面における圧縮可能な部材で、使用において反応室の周りに密閉を形成し、さらに蓋部材における流体流路ポートの周りに延在し、蓋部材の第２側面における流体流路ポートの開口の周りに密閉環を形成する、圧縮可能な部材と、
を有し、
蓋部材は、サンプル処理組立体のクロージャー・ボディーと着脱可能な係合にて構成される、
蓋部材。
【請求項２４】
一、二、もしくはそれを超える切欠きを含む、請求項２２又は２３に記載の蓋部材。
【請求項２５】
蓋部材は柔軟な材料から製造される、請求項２２から２４のいずれかに記載の蓋部材。
【請求項２６】
ポリカーボネート、ポリオキシメチレン（アセタール）、ポリエーテル・エーテル・ケトン（ＰＥＥＫ）、高密度ポリエチレン（ＨＤＰＥ）及び超高分子量ポリエチレン（ＵＨＭＷ−ＰＥ）を含むポリエチレン、フッ素化エチレンプロピレン（ＦＥＰ）を含むポリプロピレン及びテフロンＰＥを含むテフロン、並びに環状オレフィン共重合体（ＣＯＣ）、を含む群から選択された材料から少なくとも一部が製造される、請求項２２から２５のいずれかに記載の蓋部材。
【請求項２７】
少なくとも一つの付勢アームを含み、この付勢アームは、サンプル処理組立体における使用においてクロージャー・ボディーの基準部材に接し、クロージャー・ボディーの最終閉鎖の間、組立体における突出部の方へ蓋部材を押す、請求項２２から２６のいずれかに記載の蓋部材。
【請求項２８】
サンプル処理装置のクロージャー・ボディーと着脱可能に蓋部材を連結する連結手段を含む、請求項２２から２７のいずれかに記載の蓋部材。
【請求項２９】
連結手段を解放するタブを含む、請求項２８に記載の蓋部材。
【請求項３０】
連結手段は、蓋部材とクロージャー・ボディーとの滑動可能な連結に適する、請求項２８又は２９に記載の蓋部材。
【請求項３１】
基材からの蓋部材の分離を支援するように構成された、第１側面における解放部材を含む、請求項２２から３０のいずれかに記載の蓋部材。
【請求項３２】
複数の処置ステップに十分な流体量を受け入れ貯蔵する貯槽、及び、貯槽から反応室へ流体が進入する流体入口ポートを含む、請求項２２から３１のいずれかに記載の蓋部材。
【請求項３３】
貯槽は、流体を流体入口ポートへ向ける傾斜した内壁を含む、請求項３２に記載の蓋部材。
【請求項３４】
より厚い壁部分は、より薄い壁部分よりも空間のより遠位に配置される、請求項３２又は３３に記載の蓋部材。
【請求項３５】
反応室と、流体流路ポートと連結可能な流体源との間の流体連通用の流体流路ポートを含む、請求項２２あるいは請求項２２を引用する請求項２４から３４のいずれかに記載の蓋部材。
【請求項３６】
流体流路ポートは、蓋部材の第２側面に開口し、使用においてクロージャー・ボディーにおける対応の開口と共に実質的な密閉カップリングが形成されるように構成された柔軟な材料によって実質的に囲まれる、請求項３５に記載の蓋部材。
【請求項３７】
蓋部材の第１側面に設けられた一もしくは複数のスロットを含み、この一もしくは複数のスロットは、使用において反応室の周りにシーリングガスケットを形成するように構成された圧縮可能な部材材料を受け入れるように配置されている、請求項２２から３６のいずれかに記載の蓋部材。
【請求項３８】
一もしくは複数のスロットは、蓋部材の第２側面の方へ配向された最も幅広な部分を有するくさび形状である、請求項３７に記載の蓋部材。
【請求項３９】
一もしくは複数のスロットは、蓋部材における貫通孔である、請求項３７又は３８に記載の蓋部材。
【請求項４０】
第２側面にスペーサ部材を含み、このスペーサ部材は、蓋部材と共に使用されるクロージャー・ボディーの負重面と接触するのに適する、請求項２２から３９のいずれかに記載の蓋部材。
【請求項４１】
流体入口と流体連通にある、蓋部材の第１側面における第１キャビティを含み、この第１キャビティは、使用において反応室内で実質的に垂直な流体面を形成するように形作られる、請求項２２から４０のいずれかに記載の蓋部材。
【請求項４２】
流体出口と流体連通にある、蓋部材の第１側面における第２キャビティを含み、この第２キャビティは、流体出口を通る排出のため、使用において反応室内の流体面から流体を取り出すように形作られている、請求項２２から４１のいずれかに記載の蓋部材。
【請求項４３】
使用中、圧縮可能な部材の圧縮を制限するため、第１側面においてエンドストップ機構を含む、請求項２３から４２のいずれかに記載の蓋部材。
【請求項４４】
基材におけるサンプル処置用のサンプル処理組立体であって、
ａ．基材用の据付面と、
ｂ．蓋部材を着脱可能に保持するクロージャー・ボディーで、開位置と実質的に閉じられた位置との間で移動可能なクロージャー・ボディーと、
ｃ．組立体における基材の配置の間に少なくとも第１方向における基材の移動を制限する少なくとも一つの第１ガイドと、
を含み、
基材が組立体に置かれ、蓋部材を保持している状態でクロージャー・ボディーが実質的に閉位置にある状態において、サンプルを処理する反応室が形成される、
サンプル処理組立体。
【請求項４５】
基材におけるサンプル処置用のサンプル処理組立体であって、
ａ．基材用の据付面と、
ｂ．蓋部材を着脱可能に保持するクロージャー・ボディーで、開位置と実質的に閉じられた位置との間で移動可能なクロージャー・ボディーと、
ｃ．クロージャー・ボディーが実質的に閉じられた位置に付勢されるように付勢力を加える付勢手段と、
を含み、
基材が組立体に置かれ、クロージャー・ボディーが実質的に閉位置にあり、蓋部材を保持している状態において、サンプルを処理する反応室が形成される、
サンプル処理組立体。
【請求項４６】
サンプル処理組立体で使用される蓋部材であって、
ａ．第１側面と、
ｂ．第１側面に対向する第２側面と、
ｃ．第１側面における空間で、蓋部材が基材に接触する状態にて反応室を形成する空間と、
ｄ．反応室へ試薬を受け入れるための第１流体流路ポートと、
ｅ．サンプル処理組立体のクロージャー・ボディーに蓋部材を滑動的に連結する着脱可能な係合手段と、
を有する蓋部材。
【請求項４７】
使用において反応室の周りに密閉を形成するように構成される、蓋部材の第１側面における圧縮可能な部材であって、この圧縮可能な部材は、さらに、蓋部材における流体流路ポートを通って延在し、蓋部材の第２側面における流体流路ポートの開口の周りに密閉環を形成する、圧縮可能な部材を含む、請求項４６に記載の蓋部材。
【請求項４８】
請求項２４から４３の一もしくは複数の特徴をさらに含む、請求項４６又は４７に記載の蓋部材。
【請求項４９】
請求項２３に記載の蓋部材を製造するための方法であって、
ａ．蓋部材本体を形成すること、
ｂ．蓋部材本体を含む金型へ流動可能で圧縮可能な材料を注入すること、ここで上記金型は、流動可能で圧縮可能な材料が硬化するとき蓋部材の第１側面に圧縮可能な部材を形成するように構成され、
流動可能で圧縮可能な材料は、蓋部材の第１側面における一もしくは複数のスロットを満たす、
を含む方法。
【発明の詳細な説明】
【技術分野】
【０００１】
本発明は、スライド上のサンプルの自動染色を容易にするため、実験室用器具で典型的に使用するためのスライド染色組立体に関する。また限定するものではないが特に、本発明は、蓋部材を着脱可能に保持するように構成され、スライドと共に反応室を形成する組立体、及び蓋部材そのものに関する。
【背景技術】
【０００２】
免疫組織化学の染色及び生体位核酸分析（in situ nucleic acid analysis）は、組織診及び組織形態学の研究において使用される手段である。免疫組織化学の染色は、組織サンプルにおけるエピトープを有する抗体の特定の結合親和力、及びあるタイプの病気の細胞組織にのみ存在する独特なエピトープと特に結合する抗体の増加する可用性に依存する。免疫組織化学の染色は、選択的な染色によって疾病状態の、ある形態指標を強調するためにガラススライドに装着された組織サンプル（典型的に切片）において行われる一連の処置ステップを含む。
【０００３】
典型的な処置ステップは、非特異的結合を減らすための組織サンプルの前処置、抗体処置及び培養、酵素標識された２次的な抗体処置及び培養、抗体と結合するエピトープを有する組織サンプルのエリアを強調する蛍光団あるいは発色団を生成するための酵素による基質反応、対比染色、等を含む。各処置ステップの間で、組織サンプルは、先のステップからの未反応の残りの試薬を除去するためにすすがれなければならない。ほとんどの処置ステップは、約２５℃から約４０℃までの周囲温度で典型的に行われる培養期間を含む。一方、細胞の条件付け（conditioning）ステップは、幾分高い温度、例えば９０℃から１００℃で典型的に行われる。生体位ＤＮＡ分析は、細胞あるいは組織のサンプルにおける独特なヌクレオチド配列を有するプローブ（ＤＮＡ結合蛋白質）の特定の結合親和力に依存し、同様に、様々な試薬及び工程温度要求を有する一連の工程段階を含む。いくつかの特異反応は、１２０℃から１３０℃までの温度を含んでいる。
【０００４】
器具使用で自動化されたサンプル処理システムは、上で説明した処置工程のいくつかのステップを自動化するために存在する。しかしながら、反応室の使用を含む現在のシステムは、しばしば、試薬を適用する間に組織サンプルの乾燥を来す。これを補うために、絶えず組織サンプルに水分補給する必要がある。組織サンプルへの水和溶液の自動適用は、器具においてロボットの試薬分配システムの使用を必要とする。自動システムにおけるサンプルの脱水が理由で、器具において行われる他の反応に必要な本質的なステップのためのロボットディスペンサーの可用性を制限する工程に、余分な処置ステップを加えることが必要である。
【０００５】
いくつかのシステムは、スライドの上方の、試薬が導入される幾分閉じられた反応室を用いることによってサンプルの脱水を低減するように設計されている。これらのシステムの多くは、組織サンプルの上に試薬を引き寄せるために吸い上げ動作（wicking action）に依存する。これらのシステムは、反応室内への均質で一様な試薬の流れを確保するために、吸い上げ目標（wicking target）への試薬の正確で精密な適用を要求する。システムが校正に失敗したときには、試薬の適用は吸い上げ目標を逃す場合がある。悪影響は意味深く、患者にとって重大な関わり合いを有することのある、サンプル処理におけるサンプルの劣化、試薬の消耗、不十分な染色、器具時間の損失、及び遅れを引き起こす場合がある。このような問題を回避するため、資格を有する専門技術者による定期的な器具校正が、正確な試薬の適用、均質な試薬の流れ、したがって均質なサンプル染色を確保するように要求される。
【０００６】
本発明は、既存のサンプル染色システムを改善すること、及び／又は従来技術の幾つかの問題を克服あるいは緩和することを目的とする。
【０００７】
文献、行為、材料、装置、物品、等への言及を含みここに含まれた本発明の背景の論議は、本発明の状況を説明するために意図されるものである。このことは、言及されたいずれの材料も、暫定的ないずれのクレームの優先日で公開され既知でありあるいは技術常識の一部であったという告白あるいは提示として見なされるものではない。
【発明の概要】
【０００８】
一つの態様から見たならば、本発明は、基材上のサンプル処置用のサンプル処理組立体を提供し、この組立体は、基材用の据付面、及び蓋部材を着脱可能に保持するように構成されたクロージャー・ボディーを含み、このクロージャー・ボディーは、開位置と実質的に閉じられた位置との間で移動可能である。基材が組立体内に置かれ、蓋部材を保持しながらクロージャー・ボディーが実質的に閉位置にあるとき、反応室がサンプルを処理するために形成される。
【０００９】
好ましい実施形態において、組立体は、組立体に基材を配置する間、少なくとも第１方向に、病理スライドのような基材の移動を制限するように構成された少なくとも一つの第１ガイドを含む。少なくとも一つの第１ガイドは、他の形状を取ってもよいが、理想的には据付面における突出部である。好ましくは、据付面に少なくとも一つの第２ガイドがさらに設けられる。第２ガイドは、第１方向とは異なる第２方向において基材の移動を制限する。典型的に、第１及び第２の方向は、直角に配置される。理想的には、少なくとも一つの第２ガイドは、蓋部材における対応の切欠きと協働するように形作られる突出部である。使用では、少なくとも一つの第２ガイド、及び蓋部材における対応の切欠きは、基材表面と共に反応室を形成する蓋部材の最適な配置のために協働する。反応室は、据付面上の基材／スライドによって、あるいはスライドのない適所における据付面によって形成されてもよい。前者の配置では、反応室は、反応室内へ分配された試薬によってスライド上のサンプルの抑制された処置を容易にする。後者では、反応室は、反応室内へ分配された洗浄試薬によって蓋部材の洗浄を容易にする。
【００１０】
好ましくは、組立体は、クロージャー・ボディーが実質的に閉位置に付勢されるように付勢力を印加する閉鎖付勢手段を含む。開放付勢力を印加するための開放付勢手段も設けられてもよい。好ましくは、閉鎖付勢手段は開放付勢手段よりも大きな付勢力を加えるように構成される。
【００１１】
いくつかの実施形態では、組立体は、閉位置にクロージャー・ボディーを留置するため、クロージャー・ボディーにおける凹部と協働するように配置された、戻り止めを有する留置アームを含む。このような配置において、留置アームの一端の方に負重面（bearing surface）が配置され、その結果、負重面に開放力が印加されたとき、クロージャー・ボディーにおける凹部から戻り止めが解放され、クロージャー・ボディーは開位置へ移動する。
【００１２】
着脱可能（removable）なハウジングがそこに設置された操作部品を覆うようにクロージャー・ボディーに設けられてもよい。理想的には、着脱可能なハウジングは、クロージャー・ボディー内に配管を配向するように構成された形状、フードあるいはクリップを含む。
【００１３】
反応室の周りに実質的に一様な密閉を達成するために実質的に均等に力が加えられるように、クロージャー・ボディーに加えられる力を分配する力配分部材が設けられてもよい。サーモモジュールも組立体の据付面に連結されてもよい。このサーモモジュールは、反応室内の温度を変更するように動作可能であり、処置ステップを加速する、あるいは処置ステップに影響を及ぼす。理想的には、サーモモジュールは、組立体を組み込む器具に組み込まれたコントローラーに制御される。このコントローラーは、さらに組立体の開閉、基材の配置、試薬の分配、正圧及び負圧の適用、等を制御してもよい。
【００１４】
好ましい実施形態では、クロージャー・ボディーは、クロージャー・ボディーによって保持されるときに蓋部材における流体ポートと流体連通して形成された第１流体流路を含む。この第１流路は、組立体が使用されているとき、反応室と、サンプル処理組立体につながる流体源との間で流体の移転を許可する。
【００１５】
理想的には、連結手段は、クロージャー・ボディーに蓋部材を着脱可能に取り付けるために設けられる。この連結手段は、クロージャー・ボディーと蓋部材との間に着脱可能な連結を形成するとき、クロージャー・ボディー及び蓋部材の一方に、クロージャー・ボディー及び蓋部材の他方における面と係合する一もしくは複数の突出部を含んでもよい。クロージャー・ボディー及び蓋部材の一方は、さらに、その連結を解放する解放タブを含んでもよく、それによって、クロージャー・ボディーから蓋部材の解放を可能にする。あるいはまた、連結手段は、蓋部材及びクロージャー・ボディーを滑動的に連結するための走路あるいはガイド溝、又は他の手段を含んでもよい。
【００１６】
いくつかの実施形態において、組立体の据付面は、一もしくは複数の凹部を含む。理想的には、これら凹部は、実質的に閉じられた位置においてクロージャー・ボディーによって保持されたときに蓋部材の内壁の少なくとも一部と同一直線上に配列される。これらの凹部の配置は、蓋部材洗浄段階に組立体がある間、蓋部材壁の少なくとも一部から、試薬のクリーニングを容易にする。据付面はまた、第２流体流路経路と連結可能な開口を含んでもよく、第２流体流路経路は開口と流体源との間で流体の移動を容易にする。第２流体流路経路は、基材の下側に据付面開口を介して真空を適用することによって、例えば使用後、組立体の開放の間、据付面に基材を保持するために使用されてもよい。それは、また、据付面と蓋部材との間に形成された反応室へ洗浄試薬を配送する、あるいは蓋部材洗浄段階後、反応室から洗浄試薬を回収するために使用されてもよい。
【００１７】
別の態様から見た場合、本発明は、上で説明した種類のようなサンプル処理組立体において使用される蓋部材を提供する。蓋部材は、第１側面と、第１側面に対向する第２側面と、第１側面における空間で、蓋部材が基材と接触するときに反応室を形成する空間と、反応室へ試薬を受け入れるための第１流体流路ポートと、及び、少なくとも一つの切欠きとを有する。蓋部材は、サンプル処理組立体のクロージャー・ボディーと着脱可能に係合するように構成され、少なくとも一つの切欠きは、サンプル処理組立体の据付面及びサンプル処理組立体のクロージャー・ボディーの一方における対応の突出部と協働するように形作られ、その結果、使用されるとき、切欠き及び突出部は、基材と共に反応室を形成するために組立体における位置へ蓋部材を案内する。
【００１８】
さらに別の態様から見た場合、本発明は、サンプル処理組立体において使用するための蓋部材を提供する。この蓋部材は、第１側面と、第１側面に対向する第２側面と、第１側面における空間で、蓋部材が基材と接触するときに反応室を形成する空間と、使用時において反応室の周りに密閉を形成するように構成された、第１側面における圧縮可能部材であって、この圧縮可能部材の材料はさらに、蓋部材における流体流路ポートの周りに延在し、蓋部材の第２側面における流体流路ポートの開口の周りに密閉環（sealing annulus）を形成する圧縮可能部材と、を有する。蓋部材は、サンプル処理組立体のクロージャー・ボディーと着脱可能な係合にて構成される。一つの実施形態において、空間は、圧縮可能な部材によって形成される。別の実施形態では、空間は、蓋部材の第１側面において空間部あるいはキャビティによって少なくとも一部において形成される。
【００１９】
蓋部材が反応室を形成する基材は、組織スライド（例えば試料処置ステップ用の）のようなスライド、あるいは組立体の据付面（例えば蓋部材洗浄段階用の）であってもよい。理想的には、２つもしくはそれを超える切欠きがある。
【００２０】
蓋部材が少なくとも一部において柔軟な材料から製造されることは好ましい。蓋部材は、以下のものを含む群から選択された材料から少なくとも一部において製造あるいはコーティングされてもよい。即ち、ポリカーボネート、ポリオキシメチレン（アセタール）、ポリエーテル・エーテル・ケトン（ＰＥＥＫ）、高密度ポリエチレン（ＨＤＰＥ）及び超高分子量ポリエチレン（ＵＨＭＷ−ＰＥ）を含むポリエチレン、フッ素化エチレンプロピレン（ＦＥＰ）を含むポリプロピレン及びテフロンＰＥを含むテフロン、並びに環状オレフィン共重合体（ＣＯＣ）。
【００２１】
いくつかの実施形態において、蓋部材は、少なくとも一つの付勢アームを含む。この付勢アームは、サンプル処理組立体の使用時に、付勢アームがクロージャー・ボディーにおける基準部材に当接し、クロージャー・ボディーの最終閉鎖の間、サンプル処理組立体における突出部の方へ蓋部材を押すように構成される。理想的には、使用に先立ちサンプル処理組立体における蓋部材の最適な配置のため、蓋部材における２つの対応する切欠きと協働する、据付面における突出部の方へ、閉鎖の最終段階の間、蓋部材を押す２つの付勢アームが存在する。
【００２２】
好ましくは、蓋部材は、サンプル処理装置のクロージャー・ボディーに蓋部材を着脱可能に連結する連結手段を含む。連結手段を解放するためのタブも設けられてもよい。好ましい実施形態において、連結手段は、蓋部材及びクロージャー・ボディーの滑動可能な連結に適している。
【００２３】
一もしくは複数の実施形態において、蓋部材は、第１側面において解放部材を含む。この解放部材は、処置段階後、組立体が開かれるときに、そうでないと据付面から基材を上げることができるだろう表面張力あるいはスティクションのいかなる力にも打ち勝つことによって、基材からの蓋部材の分離を支援するように構成されたトングあるいはスプリング付きの解放部材の形態を取ってもよい。他の配置では、解放部材は、蓋部材が使用されるクロージャー・ボディーに設けられてもよい。
【００２４】
実施形態において、蓋部材は、複数の処置ステップに十分な流体量を受け入れ貯蔵するように構成された貯槽を含む。流体入口ポートも貯槽から反応室への流体進入のために設けられる。貯槽は、流体入口ポートと連通状態にあり、第１流体ポートに流体を注ぐように構成された一もしくは複数の傾斜した内壁を含んでもよい。いくつかの実施形態では、反応室を形成する空間のサイズ及び一定（consistent）形状において製造公差の悪影響を最小限にするために、厚い壁部分は、薄い壁部分よりも空間のより遠位に位置する。
【００２５】
理想的には、流体流路ポートは、例えば蓋部材を保持するクロージャー・ボディーにおける対応する開口を通って、空間及び／又は密閉部材によって形成された反応室と、流体流路ポートに連結可能な流体源との間の流体連通のために設けられる。好ましくは、流体流路ポートは、蓋部材の第２側面において開口を有する。この開口は、使用されるときに、クロージャー・ボディーの対応する開口と実質的な密閉カップリングが形成されるように構成された柔軟な材料によって実質的に囲まれてもよい。この柔軟な材料は、流体流路ポートの周りに延在し、さらに使用の際に反応室の周囲にシーリングガスケットとして動作する圧縮可能な部材を形成する圧縮可能な材料の単片の一部として設けられてもよい。
【００２６】
いくつかの実施形態において、一もしくは複数のスロットが蓋部材の第１側面に設けられ、このスロットは、使用の際に反応室の周囲にシーリングガスケットを形成するように構成される圧縮可能な部材材料を、蓋部材の製造の間、受け入れるように配置される。好ましくは、一もしくは複数のスロットは、くさび形であり、くさび形開口の最も幅広部分が蓋部材の第２側面の方に配向されている。一もしくは複数のスロットは、第１側面から第２側面まで蓋部材を通る全てに渡り延在する貫通孔であってもよい。実施形態において、使用中、圧縮可能な部材の圧縮を制限するために、エンドストップ機構が蓋部材の第１側面に設けられる。いくつかの実施形態では、スペーサ部材が蓋部材の第２側面に設けられる。このスペーサ部材は、蓋部材が使用されるクロージャー・ボディーの負重面と接触するのに適している。
【００２７】
いくつかの実施形態では、蓋部材は、蓋部材の第１側面において一もしくは複数のキャビティあるいは流体制御機構を含む。一つの実施形態において、蓋部材の第１側面における第１キャビティは、流体入口と流体連通にあり、使用のときに、反応室内に実質的に垂直な流体面（fluid front）を形成するように形作られる。蓋部材の第１側面における第２キャビティが、流体出口と流体連通において、設けられてもよい。この第２キャビティは、反応室の流体出口（排出）端の方に位置し、流体出口を通り排出するため、使用におけるとき反応室内の流体面から流体を取り出すように形作られる。理想的には、第２キャビティは、反応室の角に流体及び破片が集まるのを低減するように輪郭が形成される。
【００２８】
いくつかの実施形態において、蓋部材は、蓋部材の表面の一部あるいは長さに沿って延在する隆起部あるいは突出部の形態における一もしくは複数の構造上の特徴を含む。理想的には、一もしくは複数の構造上の特徴は、使用にあるとき、蓋部材によって形成された反応室のサイズあるいは流れ特性に影響を与えずあるいは減じるものではない。構造上の特徴は、例えば、蓋部材の使用中にサンプル処置ステップを行なうために加熱あるいは冷却がなされたときに、蓋部材の反り、曲がり、あるいは捩れを実質的に不可能にするように支持を与える。一つの実施形態において、構造上の特徴は、蓋部材の実質的に全伸張長さに延びる増強する隆起部あるいは帯板（strip）であるが、直角な、平行な、交差する、角度の付いた、あるいはその他の配向された特徴部のような他の構造上の特徴も考えられる。
【００２９】
別の態様から見た場合、本発明は、基材におけるサンプルの処置用のサンプル処理組立体を提供し、この組立体は、基材用の据付面と、蓋部材を着脱可能に保持するように構成されたクロージャー・ボディーで、開位置と実質的に閉じられた位置との間で移動可能であるクロージャー・ボディーと、当該組立体において基材配置の間に少なくとも第１方向における基材の移動を制限するように構成された少なくとも一つの第１ガイドとを含み、ここで、基材が組立体に置かれ、蓋部材を保持するときでクロージャー・ボディーが実質的に閉位置にあるとき、サンプルを処理する反応室が形成される。
【００３０】
さらに別の態様から見た場合、本発明は、基材におけるサンプルの処置用のサンプル処理組立体を提供し、この組立体は、基材用の据付面と、蓋部材を着脱可能に保持するように構成されたクロージャー・ボディーで、開位置と実質的に閉じられた位置との間で移動可能であるクロージャー・ボディーと、クロージャー・ボディーが実質的に閉じられた位置に付勢されるように付勢力を印加する付勢手段とを含み、ここで、基材が組立体に置かれ、蓋部材を保持するときでクロージャー・ボディーが実質的に閉位置にあるとき、サンプルを処理する反応室が形成される。
【００３１】
さらにまた別の態様から見た場合、本発明は、サンプル処理組立体において使用される蓋部材を提供し、この蓋部材は、第１側面と、第１側面に対向する第２側面と、第１側面における空間で、蓋部材が基材と接触するときに反応室を形成する空間と、反応室へ試薬を受け入れるための第１流体流路ポートと、サンプル処理組立体のクロージャー・ボディーに蓋部材を滑動可能に連結する着脱可能な係合手段とを有する。
【００３２】
本発明はまた、蓋部材、特に圧縮可能な部材を組み込む、本発明による蓋部材の製造への新しいアプローチを提供する。このような方法は、射出成形等によって蓋部材本体を形成すること、及び、蓋部材本体を含む型に流動性で圧縮可能な材料を注入すること、を含み、上記型は、流動性で圧縮可能な材料が固まるとき蓋部材の第１側面において圧縮可能な部材を形成するように構成される。この技術を使用して、流動性で圧縮可能な材料は、一もしくは複数のスロットを埋めて、蓋部材の第１側面において輪郭を形成して圧縮可能な部材を形成する。流体圧縮可能な材料はまた、蓋部材における流体流路ポートの周りに、蓋部材の第２側面における流体流路ポートの周りの密閉環において終端する通路（via）を形成してもよく、密閉環は蓋部材の第１側面における圧縮可能な部材と共に単一の材料片の一部を備える。
【図面の簡単な説明】
【００３３】
【図１】図１は、発明の実施形態による、正面から見たときの実質的に閉じられた位置におけるサンプル処理組立体の等角図である。
【図２】図２は、図１のサンプル処理組立体の等角図であり後部から見たときの図である。
【図３】図３は、正面から見た図１のサンプル処理組立体の等角図であり、閉鎖付勢手段が係合しクロージャー・ボディーに蓋部材が保持された状態で開位置における図である。
【図４】図４は、図３のサンプル処理組立体の等角図であり、閉鎖付勢手段が係合しておらず蓋部材が除去された状態の図である。
【図５】図５は、図１のクロージャー・ボディーの平面図であり、内部部品を表しながらハウジング蓋が除去された状態の図である。
【図６】図６は、図１〜図４のサンプル処理組立体の等角図であり、閉じられながら蓋部材が保持された状態の図である。
【図７】図７は、第１側面（底）から見た本発明の実施形態による蓋部材の等角図である。
【図８】図８は、第２側面（上）から見た図７の蓋部材の等角図である。
【図９】図９は、図９Ａに示される拡大部分Ａを有する図１のサンプル処理組立体の側面図である。
【図１０】図１０は、図１のサンプル処理組立体の側面の断面図であり、そこに位置するスライドを有し、図１０Ａに示す拡大部分Ａを有する図である。
【図１１】図１１は、本発明によるサンプル処理組立体及び蓋部材が使用されてもよい器具の概略図である。
【図１２】図１２は、発明の実施形態によるサンプル処理組立体の閉位置における等角図である。
【図１３】図１３は、図１２のサンプル処理組立体の端面図である。
【図１４】図１４は、図１２及び図１３のサンプル処理組立体の開口状態における等角図である。
【図１５】図１５は、発明の実施形態によるサンプル処理組立体の開位置における、ハウジング蓋がクロージャー・ボディーの内部部品を隠した状態の等角図である。
【図１６】図１６は、発明の実施形態による蓋部材の等角平面図である。
【図１７】図１７は、図１６の蓋部材の平面図である。
【図１８】図１８は、図１６及び図１７の蓋部材の側面図である。
【図１９】図１９は、図１６及び図１７の蓋部材の等角底面図である。
【発明を実施するための形態】
【００３４】
本発明は、添付図面を参照して、より詳しく説明されるだろう。示された実施形態は、例だけのものであり、ここに添付された請求範囲において規定されるような発明の範囲を制限するものとして考えられるものではないことは理解されるべきである。
【００３５】
図１は、発明の実施形態によるサンプル処理組立体１０００の概略図である。この組立体は、図１１に図示される器具４０００の一部として設けられてもよく、器具４０００はロボットヘッド４１００を有し、このロボットヘッドは、組立体クロージャー・ボディーを開きかつ閉じ、また、当該器具の一部を形成するコントローラー４４００から受け入れた命令に従いロボットヘッドにおけるプローブを通して試薬を組立体へ分配する。理想的には、その器具は、ここに記述され請求される種類の複数のサンプル処理組立体１０００を含んでおり、その結果、ほとんど若しくは全く手動の介在を有しない自動化様式において器具４０００によって多くの個々のサンプルが処理されるかもしれない。このような器具は、試薬を分配する単一のロボットヘッド４１００を使用してもよく、あるいは、第２のもしくはそれに続くロボット４１５０が含まれていてもよい。
【００３６】
典型的には、器具４０００は、コントローラー４４００によって制御される処置ステップを完了するために必要とされる様々な種類の試薬、典型的に流体試薬、の容器４２００，４２５０を収納する。ロボットの分配ヘッド４１００、４１５０は、流体分配システム（容器とヘッドとの間の配管）によって容器４２００，４２５０に連結され、プローブを使用してサンプル処理組立体１０００へ流体を分配する。流体はまた、プローブのない、すなわち配管を使用して、流体分配システムを介して器具４０００に搭載された試薬容器４２００，４２５０から分配されてもよい。プローブ及びロボットの分配システムは、２０１２年１１月１日の出願日を有する「A Fluid Transport System」の発明名称による米国の仮特許出願６１／７２１，２６９号、及び、２０１２年１１月１日の出願日を有する「A Slide Transport System」の発明名称による米国の仮特許出願６１／７２１，２５７号に記述されており、これら両方の全内容は、参考としてここに組み込まれる。また、サンプル処理組立体１０００及び／又は当該器具における様々な洗浄ステーションから集められてもよい不用の試薬を廃棄するための廃棄物貯槽４３００を有する廃棄物システムも存在する。当該器具は、いくつかの試薬を再利用してもよく、又は再利用あるいは器具から外す廃棄用のいくらかの試薬を集めてもよい。
【００３７】
図１は、実質的に閉じられた位置における、正面から見た組立体１０００を示す。図２は、後部から見た組立体を示す。両方の図は、明確にクロージャー・ボディー１１００を示す。蓋部材２０００（図７及び図８）は、クロージャー・ボディー１１００によって保持され、蓋部材の貯槽２４００が両方の図において見ることができる。一つの実施形態により、図１では蓋部材指グリップ２４９０が示され、一方、図２は蓋部材２０００の連結突出部２１６０及び解放タブ２１７０を示している。
【００３８】
図３は、開位置におけるときの正面から見た、図１のサンプル処理組立体の概略図である。据付面１２００は、組立体１０００を使用して処理するためにサンプルが取り付けられたスライドのような、不図示の、基材を支持するために設けられる。クロージャー・ボディー１１００は、示されるような蓋部材２０００を着脱可能に保持するように構成される。クロージャー・ボディー１１００は、据付面１２００に対して、開位置（図３、図４）と実質的に閉じられた位置（図１、図２、図９）との間で移動可能である。
【００３９】
理想的には、サンプル処理組立体１０００は、通常、付勢され閉じられているクロージャー・ボディーを積極的に開くためにロボットヘッド４１００の一部によって接触してもよい、クロージャー・ボディー１１００における負重面１１５０を有する。典型的には、負重面１１５０は、クロージャー・ボディー１１００から突出しロボットヘッド４１００の接触部材によって接触されるカムコロを含む。よって、ロボットヘッド４１００が負重面１１５０に接触して方向Ｂ（図４）において移動するとき、クロージャー・ボディー１１００は、軸Ｐ（図１）の周りに旋回し、図３及び図４に示されるような開口配置まで開く。しかしながら、開く動きは、旋回することあるいは一緒に旋回することだけを意味するものではなく、すなわち、処理のためにサンプルを有するスライド／基材の、それらの間への配置を調整するために、２つの部品を相対的に滑らすことのみならず、クロージャー・ボディーを上昇させるあるいは据付面を下降させることによる据付面１２００からクロージャー・ボディー１１００を分離することもまた考えられることは理解されるべきである。
【００４０】
理想的には、基材は、コントローラー４４００の制御の下、自動化された方法において、サンプルを有する基材を組立体１０００の中へ運ぶロボットヘッド４１００を使用して、開いているサンプル処理組立体に置かれる。このようなシステムは、上で参照した米国の仮特許出願６１／７２１，２５７号に記述されている。これは、例えば、据付面１２００上で、クロージャー・ボディー１１００が閉じられる準備ができている所定位置へ滑ることによる基材の移動を制御するロボットヘッド４１００を必要とするかもしれない。ロボットヘッド４１００は、組立体１０００内で配置のために基材を保持／把持するため、例えばグリッパー、真空、あるいは他の適切な手段を使用して基材を操作してもよい。
【００４１】
位置決めを支援するために、少なくとも一つの第１ガイド１２２０が、少なくとも第１方向Ａ（図４）における基材の移動を制限するために、据付面１２００において突出部あるいは柱の形で設けられる。よって、ロボットヘッド４１００を使用して基材が置かれるとき、さらなる移動を制限する基準点を提供する第１ガイド１２２０に基材が達するまで、基材は据付面１２００を横切って滑る。必要ならば、一もしくは複数のさらなる第１ガイドが方向Ａにおける基材の動きを制限するために設けられてもよい。
【００４２】
好ましい実施形態において、一もしくは複数の第２ガイド１２３０、１２３５も、方向Ｂ（図４）における基材の移動を制限するために据付面１２００において突出部あるいは柱の形で典型的に設けられてもよい。基材は方向Ａ及び方向Ｂにおいていずれの順にて移動されてもよく、また基材が方向Ａ−Ｂ−Ａ、あるいはＢ−Ａ−Ｂなどにおいて移動するように位置決めが反復されてもよいことは理解されるべきである。第２ガイドは、サンプル処理組立体内に基材の配置を最適化するためにさらに基準点を提供する。実施形態において、一もしくは複数の第２ガイド１２３０、１２３５は、クロージャー・ボディー１１００に保持された蓋部材２０００における対応の切欠き２２３０、２２３５と協働するように形作られる。この配置において、少なくとも一つの第２ガイド１２３０、１２３５、及び対応の切欠き２２３０、２２３５は、反応室を形成するために、基材（図示せず）の上方への蓋部材２０００の最適な配置のためクロージャー・ボディー１１００を閉じる間、協働する。
【００４３】
組立体１０００が実質的に閉位置にあるとき、基材と蓋部材２０００との間に形成された反応室は、空気への接触、すなわち従来においてサンプルを乾燥させるという欠点、を最小限にすることによって基材表面における組織サンプルを保護する。いくつかの従来技術の器具では、サンプル乾燥は、処理の間、規則的な水分補給を必要とした。このステップは、本発明の実施形態の使用によって回避されるかもしれない。
【００４４】
図３は付勢手段１３００を示し、これは、ばねクリップ１３５０が据付面１２００におけるリップ１２８０と係合するとき、クロージャー・ボディーと連結される、あるいは一体となる力配分部材１４００を押すことによって、クロージャー・ボディー１１００を実質的に閉じられた位置の方へ付勢する。理想的には、力配分部材１４００は、基材に垂直な平面に「浮いている」程度を許容する方法でクロージャー・ボディー１１００と連結される。このことは、蓋部材２０００を有するクロージャー・ボディー１１００が基材上方に閉じられたとき、力配分部材１４００が基材厚さ方向における小さな変動（スライドメーカー間で生じるかもしれないような）を補償することを可能にする。浮遊の力配分部材１４００は、反り、波状起伏、あるいは他の変動のような、基材表面あるいは蓋部材表面における表面の変動を、表面変動の平滑化を増すことによって対処することを援助する。力配分部材１４００はまた、洗浄段階の間、基材がないことを補う。図１０は、そこに位置決めされた基材６０００を有するサンプル処理組立体１０００の側面の断面図である。図１０Ａに示される拡大部分Ａは、据付面１２００に位置決めされた、より詳細な基材６０００を示す。蓋部材２０００は、基材６０００と共にクロージャー・ボディー１１００によって保持され、反応室６５００を形成する。
【００４５】
例えば使用中のより容易なアクセスのためにクロージャー・ボディー１１００が完全に開かれてもよいように、ばねクリップ１３５０は、図４におけるように、閉鎖付勢手段１３００を切り離すためにリップ１２８０から解放されてもよい。係合されたとき、付勢手段１３００によって印加された力は、力配分部材１４００を通して単一のポイントで提供されるかもしれないし、あるいは、それは複数の場所で提供されるかもしれない。力配分部材１４００は、基材対向面の全てあるいは一部にわたり分配された波状の表面、隆起した部分、起伏、あるいは他の隆起したポイントを備えてもよい。実施形態では、力配分部材１４００は、少なくとも２つの表面の全てあるいは一部にわたり分配された波状の表面、隆起した部分、起伏、あるいは他の隆起したポイントを備えてもよい。理想的には、力配分部材１４００は、蓋部材２０００と基材との２つの間に反応室６５００を形成するために組立体１０００に位置したとき、実質的な閉位置において蓋部材２０００と基材との間の接合部分で密閉が形成されるように、クロージャー・ボディー１１００に印加された閉じる付勢力を幾分均等に分配する。付勢手段１３００によって印加される力の大きさは、上記密閉を形成するのに十分なものであり、また、負重面１１５０に開く力を加えることによって組立体を開くときにロボットヘッド４１００によって打ち勝つことができるものである。
【００４６】
図１２及び図１３は、サンプル処理組立体１０００のさらなる実施形態を示す。ここでクロージャー・ボディー１１００は、閉位置にあるときにクロージャー・ボディー１１００における凹部アーム１２７５における凹部１２７０と協働するように配置された、留置アーム１１８０から突出する戻り止め１１７０により閉位置に留置される。図１２に示される実施形態において、スライド処置モジュール１０００は、２つの対向する付勢手段を含む。具体的には、開放付勢手段１３６０は、開位置にクロージャー・ボディー１１００を旋回するようにクロージャー・ボディー１１００に付勢力を印加するために設けられ、より大きい閉鎖付勢手段１３００は、閉位置にクロージャー・ボディーを旋回するようにクロージャー・ボディー１１００に付勢力を印加するために設けられる。図示した実施形態では、それぞれの付勢手段はスプリングである。いくつかの実施形態において、開放付勢手段１３６０は、約５〜１０Ｎの力を加え、閉鎖付勢手段１３００は、約４５Ｎの閉鎖力を印加する。通常、凹部１２７０に着座する戻り止め１１７０の作用によって、クロージャー・ボディー１１００は、開放付勢手段１３６０から発生する開放力の作用に対抗して閉位置に留置可能であり、あるいは、それはスライド処置モジュール１０００のクロージャー・ボディー１１００の偶発的な開放を防ぐように留置可能である。
【００４７】
図１２及び図１３に図示した実施形態において、負重面１１５０は、クロージャー・ボディー１１００を開位置に移動するためにロボットヘッド４１００が負重面１１５０に接触するように、負重面１１５０は、留置アーム１１８０の一端に配置される。したがって、開放力を加えるためにロボットヘッド４１００が負重面１１５０に接触したとき、スライド処置組立体１０００に配置された旋回軸１０３０の周りにクロージャー・ボディー１１００が開位置へ旋回可能であるので、戻り止め１１７０は凹部１２７０から解放される。
【００４８】
図１３及び図１４は、留置アーム１１８０をさらに詳細に示す。留置アーム１１８０は、負重面１１５０に対向する端部にて、スライド処置組立体１０００の部分に保持される留置旋回軸１１３０を含む。留置アーム１１８０は、クロージャー・ボディー１１００の開位置と閉位置との間をロボットヘッド４１００によって移動するとき、留置旋回軸１１３０の周りに回転する。図１３は、凹部１２７０（図には示されていない）内に戻り止め１１７０を有する閉位置における留置アーム１１８０を示す。図１４は、戻り止め１１７０が凹部１２７０と非係合の状態の開位置における留置アーム１１８０を示す。使用では、戻り止め１１７０を有する端部がその開位置まで凹部アーム１２７５に沿って移動し、したがってクロージャー・ボディー１１００が開位置まで移動するように、ロボットヘッド４１００の開動作は、エンドストップ１３４０の角度によって決定される角度まで、留置旋回軸１１３０の周りに留置アーム１１８０を回転する。開位置では、戻り止め１１７０は、クロージャー・ボディー１１００の凹部１２７０から離れて移動されることがわかるであろう。
【００４９】
さらに、クロージャー・ボディー１１００を開き閉じるために、付勢手段以外の手段を組立体１０００へ組み込むことができ、クロージャー・ボディーを開位置あるいは閉位置の方へ付勢することは理解されるべきである。例えば、戻り止め１１７０が解放された後、留置アーム１１８０の動きに結びつけられたクロージャー・ボディー１１００を、その最終位置に到達するまで、モーター（不図示）が開位置へ駆動してもよい。このモーターは、さらに閉位置へクロージャー・ボディー１１００を戻すように駆動してもよい。一つの実施形態では、モーターはネジ駆動モーターであるが、他の形態のモーター駆動部も考えられる。
【００５０】
図１５は、着脱可能なプラスチック成形体１１１０の形態におけるハウジングが図１２及び図１３に現されているクロージャー・ボディーの内部部品を隠した状態における、本発明の実施形態によるサンプル処理組立体の開位置における等角図である。プラスチック成形体１１１０は、出口ポート２５００を覆うが蓋部材２０００における入口ポート２４５０に開口する貯槽２４００（設けられた場合）を覆わずに操作部品を隠すために、クロージャー・ボディー１１００の上面にスナップフィットするように構成される。有利には、蓋部材２０００の内側に流体経路の一部を形成する配管（不図示）は、クロージャー・ボディー１１００内のその配向を制御する、成形体１１１０のフード１１１５によって覆われる。これは、ロボットヘッド４１００のような可動部による、配管のよれの形成及び引っかけることを防止する。着脱可能な成形体１１１０は、また、きれいな外観を提供し、洗浄のために容易に除去される。
【００５１】
図４及び図５は、クロージャー・ボディー１１００のいくつかの特徴をより詳しく示す。第１流体経路１５００は、理想的には器具４０００に搭載されコントローラー４４００の制御下の流体管理システムと流体連通のために構成される。第１流体経路１５００はまた、反応室と流体管理システムとの間の流体の移送を許可するために、クロージャー・ボディー１１００に保持される場合、蓋部材２０００における流体流路ポート２５００と連結するために構成される。図４は、力配分部材１４００の下側における流体開口１５２０を示し、この流体開口は、蓋部材がクロージャー・ボディーによって保持されるとき、第１流体経路１５００と反応室との間の流体移送を許可する。典型的には、第１流体経路１５００は、試薬の撹拌及び／又は反応室からの試薬の排出を達成するため、負及び／又は正の流体圧力を印加して流体を反応室へあるいは反応室から流体を引き出させるように構成された圧力源及び／又は真空源あるいは他の源を備えた器具における廃液ラインと連結される。撹拌は、反応室における泡の存在にもかかわらず基材におけるサンプルと接触する試薬の可能性を増すことから、処理ステップの間、反応室内の泡管理を支援することができる。
【００５２】
図５は、ハウジング蓋が除去されて第１流体経路１５００を形成する配管を含む内部部品、及び力配分部材１４００の内部接面を現した、図１から図６のクロージャー・ボディーの平面図である。
【００５３】
実施形態において、連結面１１６０及び突出部２１６０の形態における連結手段は、クロージャー・ボディー内に蓋部材を着脱可能に保持するためにクロージャー・ボディー１１００及び蓋部材２０００にそれぞれ設けられる。典型的には、蓋部材２０００は、サンプル処理用の組立体１０００を準備するためにクロージャー・ボディー１１００と手動で連結されるが、器具による自動連結及び自動分離もまた考えられる。図１から図１０に示される実施形態において、ユーザーは、親指（指グリップ２４９０に載せて）と人差し指（解放タブ２１７０で載せて）との間に蓋部材２０００を保持し、連結面１１６０を超えて曲げて連結面１１６０と係合するように突出部２１６０に十分な圧力を加えることにより、クロージャー・ボディー１１００に蓋部材をクリックフィット（click-fit）させる。
【００５４】
一旦、蓋部材２０００が適所に位置すれば、それは交換が必要な前に多数回再度使用してもよい。交換のために取り外すため、ユーザーは、人差し指と親指との間に蓋部材２０００を把持し、突出部２１６０を引っ込めるために解放タブ２１７０に圧力を加え、それによりクロージャー・ボディー１１００から蓋部材２０００を解放する。親指及び人差し指用の接触面の配置及び摩擦フィット連結（friction fit coupling）の使用は、行っているサービスの間、蓋部材の容易な交換を容易にする。
【００５５】
図１２から図１９に示されるような他の実施形態において、蓋部材２０００は、クロージャー・ボディー１１００と滑動して連結することができる。したがって蓋部材２０００は、滑ることによってクロージャー・ボディー１１００に設置されてもよく、ここでは、滑動係合を調整しガイドするために、一もしくは複数の走路、経路、溝あるいはレールが設けられている。クロージャー・ボディーから蓋部材が偶発的に外れるのを回避するために、ばねクリップが設けられてもよい。あるいはまた、それぞれの部品が互いに摩擦フィットであってもよい。タブ２４８０は、クロージャー・ボディーからの蓋部材２０００を滑らせて除去するために設けられる。理想的には、タブ２４８０は、ユーザーによる容易な把持を支援するために、少なくとも一つの側面にスロット、溝あるいは他のテクスチャ構造を有する。しかしながら、ここに記載した機械的連結の代わりに、蓋部材２０００をクロージャー・ボディー１１００の適所に保持するため、真空、化学結合、磁気、あるいは他の機械的機構のような他の手段が使用されてもよい。
【００５６】
図７及び図８は、本発明の実施形態による蓋部材２０００の一例を図示する。蓋部材は、第１側面２８００と、第１側面に対向する第２側面２９００とを有する。蓋部材２０００の第１側面における内壁２１００によって形成される空間２８５０は、蓋部材２０００が組立体における基材と接触するとき、容積において２０μｌから５００μｌ、より好ましくは５０μｌから３００μｌ、さらにより好ましくは１００から２００μｌの反応室を形成する。壁２１００は、使用において、下方の基材（例えばスライドあるいは据付面の形態における）と共に密閉面２１５０を形成する厚さを有する。反応室へ試薬を受け入れるための第１流体流路ポート２４５０は、蓋部材２０００の一端側に設けられる。理想的には、流体流路ポート２４５０は、例えばロボットヘッド４１００における流体ディスペンサーによって試薬が分配されてもよい貯槽２４００から満たされる。理想的には、貯槽２４００は、流体流路ポート２４５０の方へ、そして反応室へ試薬をガイドするため少なくとも一つの傾斜壁２４３０を有する。
【００５７】
試薬は、貯槽２４００からの重力充填によって反応室を満たしてもよい。流体のレベルは、例えば第１流体経路１５００が大気に開放されたとき、流体静力学的に制御されてもよい。このことは、基材上のサンプルを覆うように、あるいは洗浄の場合、理想的には反応室を満たすように、貯槽２４００が十分な試薬／洗浄溶液を含むことを保証する。流体は、第２流体流路ポート２５００の後のいずれの場所で下流の流体経路を閉じることにより、反応室への後の放出のために貯槽２４００に保持されてもよい。これはバルブ（不図示）によって制御されてもよい。
【００５８】
あるいはまた、圧力、例えば正圧が、貯槽２４００にてロボットヘッド４１００のプローブによって加えられてもよく、あるいは、貯槽から反応室へそして反応室を横切り流体を出すために、正あるいは負圧が蓋部材の反対側の方の流体流路ポート２５００で印加されてもよい。ロボットヘッド４１００のプローブは、反応室への試薬の注入のため流体流路ポート２４５０の面取りされた部分２４６０と連結されてもよい。クロージャー・ボディー１１００における流体流路ポート１５２０及び蓋部材２０００における流体流路ポート２５００を介する充填、撹拌、及び反応室から流体を排出するときのプローブ及び流体管理システムの操作は、典型的に、器具４０００内の流体移動を能動的に制御するコントローラー４４００の制御にて行われる。このことは、サンプル処理ステップの間、均一な試薬適用、及び、よって均一な染色につながる。さらに、蓋部材の洗浄のみならず、より均一な洗浄が処理ステップ間で達成することができる。
【００５９】
図１６から図１９は、クロージャー・ボディー１１００との滑動的な係合に適している、蓋部材２０００の別の実施形態を示す。試薬を配送するためにロボットヘッドを組立体１０００に戻すことなく、蓋部材２０００と基材６０００との間に形成された反応室を充填するために、コントローラー４４００の制御下で多数の分割量が分配されてもよいように、蓋部材２０００は、より高容量の試薬を保持可能な増大した貯槽２４００を有する。このことは、器具４０００内部の他の組立体へのロボットの試薬配送可用性を自由にする。切欠き２２４０は、また、クロージャー・ボディー１１００（不図示）におけるばねクリップとの係合のため設けられている。
【００６０】
蓋部材２０００の下面２８００における空間によって、及び組立体１０００の据付面１２００あるいは置かれた場合には基材６０００によって、形成される反応室の周りに密閉を形成するために、ガスケット２２００の形態における圧縮可能な部材が設けられる。しかしながら、いくつかの実施形態では、その空間は、蓋部材本体の下面２８００において輪郭形成空間（contoured void）が形成されることなく、圧縮可能な部材によって形成されてもよいことは理解されるべきである。
【００６１】
蓋部材本体は、例えば射出成形、３Ｄ印刷などのような適切な工程を使用して製造されてもよい。理想的には、ガスケット２２００は、蓋部材が金型に置かれて流体のガスケット材料が蓋部材のスロット及び空間に流し込まれながら金型へ加えられるような、簡単な射出工程において蓋部材２０００に適用される。いくつかの実施形態では、蓋部材への流体ガスケット材料の流れをガイドするために、一もしくは複数のガスケット溝あるいは窪みが蓋部材の裏面２８００に設けられてもよい。流動可能なガスケット材料によって充填されることを意図していないキャビティ及び空間（並びに、窪み及び溝）は、ガスケット形成工程の間、充填を妨げるために、一時的にマスクするあるいは金型の機構によって塞いでもよい。
【００６２】
理想的には、蓋部材２０００は、くさび形のスロットあるいは開口２２５０を有して製造される。これらは、蓋部材の表面２９００に開くスロット２２５０の厚い部分と、蓋部材の裏面２８００（スロットは蓋部材の全てを通り延在する必要はないけれども）に開くスロット２２５０の薄い部分とが設けられる。流体のガスケット材料はスロットに流れ込み、硬化すると、蓋部材２０００にガスケット２２００をしっかり固定する。
【００６３】
蓋部材にガスケットを形成するため金型あるいはダイへ液体状の化合物を堆積する能力のために、フルオロシリコン、液体シリコンゴム、及び他のシリコン／ゴム化合物のようなものがガスケットに適していると考えられる。この工程を使用すると、流体ガスケット材料はまた、ガスケット２２００が形成される蓋部材の裏面２８００から延在し、流体流路溝２５００をライニングし蓋部材の表面２９００における開口２５００の周りにＯ−リングあるいはシールを形成するスルー（through）つまり「ビア」を形成するように作製可能である。流体ガスケット材料が蓋部材２０００の輪郭の上及び輪郭へ「成長」するこの製造アプローチは、接着剤なしでかつわずかな製造ステップで、ガスケット材料と蓋部材材料との間により均一でより有効な保持を生成する。出口ポート２５００の周りの密閉Ｏ−リングの提供は追加の利点である。
【００６４】
使用において、力配分部材１４００は、スペーサ部材２９５０を介して閉鎖力を印加し、ガスケット２２００を圧縮して密閉機能を提供する。組立体が閉じられるときに、ガスケット２２００の圧縮可能な範囲を制限するために、実質的に剛体のエンドストップ（end stop）２８４０が蓋部材裏面２８００に設けられる。エンドストップ２８４０は、特に蓋部材２０００の多数回の使用後の過剰圧縮を防ぎ、ガスケット２２００の完全性を維持する。さらにエンドストップ２８４０は、反応室容積を制御することによって反応室の均一性を確保するのに役立つ。エンドストップ２８４０は、蓋部材裏面２８００の長辺及び一端に沿って延在するレールとして示されるが、蓋部材裏面に、ガスケットの過剰圧縮を防ぐ隆起部、歯、バンプ、タブあるいは他の機構のような多くの形態を取ってもよいことが理解されるべきである。
【００６５】
追加的に、図１６から図１９における蓋部材２０００は、反応室への試薬供給中の泡形成を、及び／又は、排出後の反応室における破片収集を、緩和するため蓋部材裏面２８００においてキャビティ２８６０、２８７０を設ける。キャビティ２８６０は、反応室の幅を実質的に横切って延在し、流体入口２４５０と流体連通に形成される。入口２４５０へ分配された（存在する場合、貯槽２４００を介して）流体は、出口２５００の方へ反応室を横切って伝わるように、試薬用の一様な流体面を作るために形作られたキャビティ２８６０を最初に満たす。使用では、流体面は、泡形成の可能性を減少させ、よって組織サンプルのより均一な染色を達成しながら、実質的に直角に反応室を横切って伝わる。
【００６６】
第２キャビティ２８７０は、反応室の反対側の端に位置決めされ、ガスケット２２００の内壁あるいは蓋部材裏面２８００の他の壁によって形成された反応室の反対側の角に試薬が到達する前に、流体面から試薬を取り出すように形作られる。キャビティ２８７０は、使用済の試薬が排出される出口２５００と流体連通にある。反応室の角に試薬が到達する前にキャビティ２８７０を使用して試薬を捕らえることは、後続の処置ステップに悪影響を及ぼすことが可能な持ち越し試薬の可能性を減じることから、流体排出を援助する。キャビティ２８７０は、さらに、より一様な染色をもたらす、染色領域からの泡の除去を援助する。キャビティ２８７０の形状及び輪郭は例証のみにあり、逆Ｃ形状のキャビティが反応室の側面の壁に沿ってさらに延在してもよいことは理解されるべきである。
【００６７】
いくつかの例において、ユーザーエラーは、蓋部材がクロージャー・ボディー１１００に装着されていないときに、器具４０００を使用することを試みることに結びつくかもしれない。このことが生じる可能性を最小限にするために、使用に先立って、染色の組立体１０００における蓋部材２０００の存在を保証するために、蓋部材２０００は、作業者が容易に見ることができ、及び／又は器具４０００によって認識可能な機構を組み込んでもよい。この機構は、器具による自動検出に適用可能な光学的な、磁気的な、無線周波数の、赤外線の、あるいは他の機械可読なエレメントを組み込んでもよい。ある実施形態において、その機構は、器具におけるサンプルで行われる処理を実行する前に、器具における検出装置によって検知可能である。このことは、蓋部材２０００が組立体１０００に存在していないことをそれが検出したときに、器具システムがユーザーに通知する、あるいはアラーム状態に入ることを可能にする。別法として／追加的に、蓋部材へ試薬を分配することを試みるとき、予期された連結位置を超えてプローブが移動したならば、器具は、蓋部材の欠如を自動的に検知してもよい。
【００６８】
一つの実施形態において、蓋部材２０００は、蓋部材の使用に関する情報を、下記のものに限定されないがこれらを含み、染色の組立体において蓋部材が使用された回数、蓋部材２０００が受けた洗浄サイクルの回数、あるいは、蓋部材の使用可能なライフサイクルに関連するかもしれない他の情報を含む蓋部材の歴史、をさらに符号化してもよい。一もしくは複数の配向及び機能的な機構を有する蓋部材は、同時係属中の米国仮特許出願６１／６９６，５２９号、発明の名称：「Cover Tile with Orientation Indicia」、出願日：２０１２年９月４日、に記述されており、この全内容は、参考としてここに組み込まれる。
【００６９】
蓋部材２０００は、例えば射出成形などによって容易に製造されるかもしれないように設計されている。組立体に組み込まれた公差、及びクロージャー・ボディー１１００によって達成される力配分のために、蓋部材及び／又はガスケット材料における柔軟さを利用すること及び分配された閉鎖力を加えることによって、基材と共に密閉することがさらに達成されるかもしれないので、蓋部材２０００は、精密に平坦な第１側面２８００を有して製造される必要がない。使用では、力配分部材１４００は、処置ステップの間、反応室から流体が制御されずに出て行くことが最小になるように、蓋部材２０００と基材との間に実質的に一様な接触を達成する。さらに、ほとんどのデバイスは薄い壁であるので、蓋部材２０００は、製造に関して多くの材料量を必要としない。図示される実施形態において、より多くの材料を消費する、より厚い壁２４２０は、射出成形工程から発生する製造欠陥を最小限にするために、反応室を形成する空間２８５０から、より遠くに位置する。
【００７０】
一つの実施形態では、蓋部材２０００は、空気キャビティのようなキャビティ、又はガス、流体あるいは粘着性の化合物で満たされるキャビティを備える。実施形態では、キャビティは、例えば、周囲環境から蓋部材を熱的に密閉する、温度調整容量を提供する。ある実施形態では、キャビティは、蓋部材及び／又は反応室の温度を維持する、あるいは変更するために利用されてもよい。
【００７１】
好ましい実施形態では、蓋部材２０００は、たとえ第１側面２８００が完全に平坦に製造されなくても、サンプル処理組立体において基材と共に密封された反応室を今まで通り形成するであろう十分に柔軟な材料から製造される。蓋部材２０００は、いずれかの単一の材料から、あるいは、例えば組織病理学実験室の臨床検査室で典型的に利用される試薬と一緒の使用に適した複数の材料の組み合わせから製造されてもよい。蓋部材２０００の製造に適した材料は、疎水性材料及び熱安定性プラスチックのような熱安定性の材料を含むが、しかしこれらに限定されない。いくつかの適切な材料は、幾つか名を挙げると、ポリカーボネート、ポリオキシメチレン（アセタール）、ポリエーテル・エーテル・ケトン（ＰＥＥＫ）、高密度ポリエチレン（ＨＤＰＥ）及び超高分子量ポリエチレン（ＵＨＭＷ−ＰＥ）を含むポリエチレン、テフロンＰＥを含むテフロン、フッ素化エチレンプロピレン（ＦＥＰ）のようなポリプロピレン、環状オレフィン共重合体、あるいはこれらの組み合わせ、を含むが、しかしこれらに限定されない。
【００７２】
一つの実施形態では、蓋部材２０００は、２つもしくはそれよりも多くの成分において製造されてもよい。一つの実施形態において、蓋部材２０００は、共同モールド成形（co-molding）、オーバーモールド成形（over-molding）、及び箔押し（hot foil stamping）[コンプライアントシール（compliant seal）及びヒートシールドラミネーション（heat sealed lamination）の箔押しを含む]の一もしくは複数を含む工程によって製造されてもよいが、しかしこれらに限定されない。このような配置において、主本体部分２６００は、ポリカーボネート、ポリプロピレン、ＦＥＰあるいはＣＯＣから製造されてもよい。複合材料が主本体部分２６００用に使用された場合、本質的な（substantial）部分はＦＥＰを備えてもよく、一方、支持部分はポリカーボネートを備えてもよい。あるいはまた、主本体部分２６００の本質的部分は、支持部分用のポリカーボネートと結合してポリプロピレンを備えてもよい。箔押しの使用が密閉面２１５０を形成する壁２１００の少なくとも一部にて適用されてもよい。同様に、スペーサ部材２９５０を形成するために、ヒートシールドラミネートポリプロピレンが第２側面２９００における主本体部分２６００に適用されてもよく、及び／又は、ガスケット２２００を形成するために、フルオロシリコンが第１側面２８００における主本体部分に適用されてもよい。
【００７３】
多数のサンプル処理組立体１０００を含む器具において、例えば、洗浄ステップの間、ほとんどの試薬粒子が反応室から移動され取り出されることを確保するために真空の適用を個々に制御するように、各組立体に充てられた掃除（scavenging）バルブが設けられてもよい。それぞれの掃除バルブは、廃棄あるいは再利用のための廃棄物貯槽４３００へ廃棄物管理システムを介して接続されてもよい。コントローラー４４００による、処置及び洗浄ステップの個々の制御は、器具４０００に搭載の改善されたスケジューリングを可能にし、これは器具効率及びコスト有効度を改善する。
【００７４】
蓋部材２０００は、据付面１２００における対応の突出部１２３０、１２３５と協働するように形作られる切欠き２２３０、２２３５を設けてもよく、その結果使用時において、反応室を形成するために、切欠き及び突出部は組立体１０００における適所に蓋部材２０００を案内する。このように、突出部１２３０、１２３５は、累積公差の影響を最小限にするために基材上方の適所に蓋部材を案内するだけでなく、組立体に基材を位置決めするためにも使用される。
【００７５】
いくつかの実施形態において、蓋部材は、使用において、クロージャー・ボディーにおける基準部材１７００、１７１０に接するように構成された一もしくは複数の付勢アーム２７００、２７１０を有してもよく、それによって、クロージャー・ボディーが据付面に接近するような閉鎖の最終段階の間、組立体における突出部１２３０、１２３５の方へ蓋部材を押す。このことは、その下の基材に対して蓋部材２０００の制御され反復可能な位置決めを提供する。別法として／追加的に、基材及び蓋部材を付勢し整列させる機構を据付面１２００に組み込むことができる。
【００７６】
蓋部材は、また、処理の終わりにてサンプル処理組立体１０００が開かれるとき、基材からの蓋部材２０００の分離を支援するために、空間に隣接する第１側面２８００に解放部材２３００を有してもよい。解放部材２３００は、反応室における残余の試薬から生じる表面張力を壊すことによって基材からの蓋部材２０００の分離を支援するように構成された湾曲したトングの形態におけるスプリング付きの開放部材であってもよい。これは、処理ステップの終わりにて、サンプルを有する基材と蓋部材との間に生じるかもしれないスティクション力に打ち勝つのに役立つ。しかしながら、この機構は本質的なものではなく、図１６から図１９に示す蓋部材２０００から省略されている。染色後、基材からの蓋部材の分離は、別法として／追加的にいくつかの実施形態において、吸引／真空力によって基材が据付面に少なくとも瞬間的に保持されるように、据付面１２００における開口１２６０での負圧（真空）の適用によって援助される。別法として／追加的に、組立体が開かれるとき、基材からの蓋部材の分離を援助するために、分離エレメントがクロージャー・ボディー１１００に組み込まれてもよい。
【００７７】
いくつかの実施形態において、蓋部材２０００の第２側面２９００は、また、隆起部あるいは壁の形態におけるスペーサ部材２９５０を設けてもよい。スペーサ部材２９５０は、密閉面２１５０と実質的に整列され、付勢手段１３００及び力配分部材１４００からの力を平等に分配することを支援する。スペーサ部材２９５０は、以下に述べるように、加熱の間、反応室からの熱損失を制御することを支援する。スペーサ部材２９５０はまた、口部２９１０の周りにも形成されてもよい。ここで、クロージャー・ボディー１１００における第１流体経路１５００を介して供給され流体流路ポート２５００を介して反応室と取り交わされてもよい流体が通る口部２９１０の周りに、柔軟な材料は、ガスケット状の密閉（seal）２９２０を形成することを援助する。密閉２９２０は、蓋部材材料と一体であってもよく、あるいは一体ではなくより柔軟な材料から形成されてもよい。
【００７８】
蓋部材２０００がサンプル処理組立体１０００に保持されている間、多くの処置ステップを行なうことができる。処理ステップ間で、反応室は、流体を回収するために、例えば第１流体経路１５００を介して負圧を加えることによって空にされてもよい。幾つかのステップにおいて、例えば水（蒸留水、再蒸留水、脱イオン化水、及び他の水の種類を含む）、洗浄剤、塩類、酵素、酸化剤、消毒薬、界面活性剤、乳化剤、などのような成分を含む清浄液を使用して、反応室の内部で「洗浄する」ことは望ましいかもしれない。クリーニングは、組立体においてサンプルを有する基材と共に、あるいは基材なしで達成されるかもしれない。基材がない状態では、蓋部材２０００は、据付面１２００を有する洗浄反応室を形成する。いずれの場合も、洗浄流体は、貯槽２４００を通して、あるいは開口１５２０、２９１０を介して蓋部材２０００における流体流路ポート２５００と連結する第１流体経路１５００を通して、適用することができる。
【００７９】
基材がサンプル処理組立体から除去されたとき、別個のサンプルの処理間において、蓋部材２０００の完全な洗浄が行われてもよい。洗浄の有効性は、据付面１２００において一もしくは複数の凹部１２５０を設けることによって増強されるかもしれない。ここで、実質的に閉じられた位置にてクロージャー・ボディー１１００によって蓋部材２０００が保持されたとき、凹部１２５０は、蓋部材２０００の内壁２１００と同一直線上に配置される。図９は、蓋部材２０００に対して凹部１２５０の位置を図示するＡ領域と共にサンプル処理組立体１０００の断面図である。Ａ領域の拡大図は、図９Ａにおいて提供される。一つの実施形態において、力配分部材１４００は、クロージャー・ボディー１１００に対して浮いている（すなわち、堅固に取り付けられていない）。このことは、クロージャー・ボディー１１００の力配分部材の多少の独立した移動を可能にし、染色の組立体に基材が装填されていないとき、据付面１２００との蓋部材２０００の係合を提供する。
【００８０】
図９Ａは、据付面１２００における凹部１２５０の上方に位置決めした蓋部材２０００の内壁２１００、及び洗浄反応室５０００の形成を示す。図９Ａに見られるように、洗浄反応室５０００は、一つの分析（assay）の間に行なわれた処理ステップからそれに続く分析へ破片及び／又は蓄積（build-up）の持ち越しが最小であるように、蓋部材２０００の内壁２１００の洗浄を容易にするように構成される。有益には、蓋部材２０００の完全な洗浄は、蓋部材が組立体内に保持されている間、実行可能であり、それによって、手動洗浄を排除する。洗浄試薬は、据付面における開口１２６０を介して、あるいは蓋部材２０００における流体流路ポート２４５０、２５００を介して集められてもよい。
【００８１】
開口１２６０は、第２流体流路経路と連結することができてもよい。第２流体流路経路（不図示）は、開口１２６０と、洗浄反応室５０００から試薬を排出するための負圧源を含む流体源との間の流体移動を容易にするかもしれない。集められた洗浄試薬は、廃棄物容器／排水管に、あるいは再利用に、転送されてもよい。真空はまた、使用において、組立体が開き始める間、基材からの蓋部材２０００の分離を助けるために、すなわち、基材と蓋部材との間の表面張力あるいはスティクションの力を克服するために、据付面１２００に位置決めされた基材に開口１２６０を介して適用されてもよい。
【００８２】
図１から図４及び図９に示されるように、本発明の実施形態によるサンプル処理組立体１０００は、据付面１２００と連結したサーモモジュール１８００を有する。サーモモジュール１８００は、反応室内の温度を変更するために、好ましくはコントローラー４０００の制御下で、操作可能である。これはいくつかの処置ステップに関して必要であり、加熱及び好ましくは冷却用の、サーモモジュールの個々の制御は、複数のサンプル処理組立体１０００が存在しその各々が完全に異なるサンプル処理分析を行うかもしれない器具４０００に搭載された増強された染色及び改善されたスケジューリング能力をもたらす。
【００８３】
用語「備える、備えられた、備えている」（comprise, comprises, comprised, comprising）が本明細書（請求範囲を含む）において使用されており、これらは、言及した機構、整数、ステップ、あるいは部品の存在を明示するように解釈されるべきであり、一もしくは複数の他の機構、整数、ステップ、あるいは部品、あるいはそれらの群の存在を排除すると解釈されるべきではない。
【００８４】
ここに添付した請求項に規定されるような本発明の範囲から外れることなく、様々な変形、追加、及び／又は変更が先に記述した部分になされることは理解されるべきである。
【００８５】
以下の請求項が例のみとして提供されることは理解されるべきである。後日、一もしくは複数の発明を規定あるいは再規定するように、特徴が請求項に加えられ、あるいは請求項から省略されてもよい。
【図１】
2019168462.tif 000003
【図２】
2019168462.tif 000004
【図３】
2019168462.tif 000005
【図４】
2019168462.tif 000006
【図５】
2019168462.tif 000007
【図６】
2019168462.tif 000008
【図７】
2019168462.tif 000009
【図８】
2019168462.tif 000010
【図９】
2019168462.tif 000011
【図９Ａ】
2019168462.tif 000012
【図１０】
2019168462.tif 000013
【図１０Ａ】
2019168462.tif 000014
【図１１】
2019168462.tif 000015
【図１２】
2019168462.tif 000016
【図１３】
2019168462.tif 000017
【図１４】
2019168462.tif 000018
【図１５】
2019168462.tif 000019
【図１６】
2019168462.tif 000020
【図１７】
2019168462.tif 000021
【図１８】
2019168462.tif 000022
【図１９】
2019168462.tif 000023
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
基材におけるサンプル処置用のサンプル処理組立体であって、
基材用の据付面と、
蓋部材を着脱可能に保持するクロージャー・ボディーで、開位置と閉じられた位置との間で移動可能であるクロージャー・ボディーと、
を含み、
基材が組立体に置かれ、クロージャー・ボディーが蓋部材を保持しながら閉じられた位置にある状態において、サンプルを処理するため反応室が形成されており、
当該サンプル処理組立体は、クロージャー・ボディーが閉じられた位置に付勢されるように付勢力を加える閉鎖付勢手段、及び／又は、開放付勢力を加える開放付勢手段を含み、
当該サンプル処理組立体は、閉じられた位置にクロージャー・ボディーを留置するためクロージャー・ボディーにおける凹部と協働するように配置された戻り止めを有する留置アーム、及び、留置アームの一端側に配置された負重面を有し、その結果、開放力が負重面に加えられる状態において、戻り止めがクロージャー・ボディーにおける凹部から解放され、クロージャー・ボディーが開位置へ移動する、
サンプル処理組立体。
【請求項２】
組立体における基材配置の間に、少なくとも第１方向に基材の移動を制限する少なくとも一つの第１ガイドをさらに含む、請求項１に記載のサンプル処理組立体。
【請求項３】
少なくとも一つの第１ガイドは、据付面における突出部である、請求項２に記載のサンプル処理組立体。
【請求項４】
第２方向における基材の移動を制限するために据付面において少なくとも一つの第２ガイドを含み、少なくとも一つの第２ガイドは、蓋部材における対応の切欠きと協働するように形作られた突出部であり、少なくとも一つの第２ガイド及び対応の切欠きは、基材あるいは据付面と共に反応室を形成するため蓋部材の最適な配置に関して協働する、請求項３に記載のサンプル処理組立体。
【請求項５】
クロージャー・ボディーに加えられた力を分配する力配分部材を含む、請求項１から４のいずれかに記載のサンプル処理組立体。
【請求項６】
クロージャー・ボディーは、クロージャー・ボディーによって保持された状態において蓋部材における流体ポートと流体連通するように構成された第１流体流路経路を含み、第１流体流路経路は、当該サンプル処理組立体とつながる流体源と反応室との間の流体移動を許可する、請求項１から５のいずれかに記載のサンプル処理組立体。
【請求項７】
据付面と連結されたサーモモジュールを含み、このサーモモジュールは、反応室内の温度を変更するように操作可能である、請求項１から６のいずれかに記載のサンプル処理組立体。
【請求項８】
閉じられた位置においてクロージャー・ボディーによって保持された状態において蓋部材の内壁の少なくとも一部と同一直線上に配列された、据付面における一もしくは複数の凹部を含み、この一もしくは複数の凹部は、上記内壁の少なくとも一部から試薬の清浄を容易にする、請求項１から７のいずれかに記載のサンプル処理組立体。
【請求項９】
請求項１から８のいずれかに記載のサンプル処理組立体において使用される蓋部材であって、
ａ．第１側面と、
ｂ．第１側面に対向する第２側面と、
ｃ．第１側面における空間で、蓋部材が基材に接触する状態にて反応室を形成する空間と、
ｄ．第１側面における圧縮可能な部材で、使用において反応室の周りに密閉を形成し、さらに蓋部材における流体流路ポートの周りに延在し、蓋部材の第２側面における流体流路ポートの開口の周りに密閉環を形成する、圧縮可能な部材と、
を有し、
当該蓋部材は、サンプル処理組立体のクロージャー・ボディーと着脱可能な係合にて構成される、
蓋部材。
【請求項１０】
複数の処置ステップに十分な流体量を受け入れ貯蔵する貯槽、及び、貯槽から反応室へ流体が進入する流体入口ポートを含む、請求項９に記載の蓋部材。
【請求項１１】
流体入口と流体連通にある、蓋部材の第１側面における第１キャビティを含み、この第１キャビティは、使用において反応室内で垂直な流体面を形成するように形作られている、請求項１０に記載の蓋部材。
【請求項１２】
流体出口と流体連通にある、蓋部材の第１側面における第２キャビティを含み、この第２キャビティは、流体出口を通る排出のため、使用において反応室内の流体面から流体を取り出すように形作られている、請求項１１に記載の蓋部材。
【外国語明細書】
2019168462000001.pdf